(57)【特許請求の範囲】
【請求項１】
箱状で石材製であり、前面に開口部があり、内部が仕切り板で左右方向に区画された複数の納骨室を備える納骨室ユニットが複数個と、
該各納骨室ユニットを縦方向において複数段に積重ね自在に収納できるフレームと、
前記各納骨室ユニットの前面に、着脱自在に取付けられる納骨室と同数の扉ユニットとを備えており、
前記各納骨室ユニットには、下面に実ほぞが形成され、上面に実ほぞに嵌合自在な実が形成されて、納骨室ユニットを複数段に重ねたとき上段の納骨室ユニットの下面の実ほぞが下段の納骨室ユニットの上面の実に嵌合するようになっており、
前記扉ユニットは、いずれも石材製の扉枠と扉からなり、前記扉が前記扉枠に支持金具で開閉自在に取り付けられており、
前記扉枠の上面には、上端縁に沿って、ほぞが形成されており、
前記各納骨室ユニットの前記底板の前端部上面は、前記扉枠を置く部分であり、前記底板の前端部下面には、下段の納骨室ユニットの扉枠のほぞを嵌め込むための扉枠固定溝が形成されている
ことを特徴とするユニット式納骨堂。
【発明の詳細な説明】
【０００１】
【発明の属する技術分野】
本発明は、ユニット式納骨堂に関する。
【０００２】
【従来の技術】
納骨堂には、遺骨を入れる骨壷を納骨するための納骨室が多数設けられている。納骨堂は石材製もしくは木材製であるが、従来より、各納骨室を木材製ではなく石材製にしたいという要望が多かった。というのは、納骨室は墓と同様に死者の家なので、納骨室を石材製にして、できるだけ墓らしくして死者に安らぎを与えたいと願うからである。
【０００３】
【発明が解決しようとする課題】
しかるに、従来より、石材製の納骨堂は、受注生産方式によって建てられており、受注がある毎に、各受注に応じて一堂一堂建てられている。従来の石材製の納骨堂は、受注生産方式によって建てられているので、納骨堂の業界には部品をユニット化するというパラダイムは存在せず、立地現場で石材を加工しながら部品を作って、これを組み立てて納骨堂を建てていた。
したがって、石材製の納骨堂を建てる際には、納骨室や扉の組み立て作業は、試行錯誤的な作業の頻度が高く、面倒であり、しかも現場での作業時間が長くなり、石材製の納骨堂の価格は高額のままであるという問題がある。
【０００４】
本発明はかかる事情に鑑み、石材製の納骨堂を簡単に組み立てることができ、現場での作業時間を少なくして組み立て作業の無駄な手間を省くことができ、納骨堂を安価に建てることができるユニット式納骨堂を提供することを目的とする。
【０００５】
【課題を解決するための手段】
請求項１のユニット式納骨堂は、箱状で石材製であり、前面に開口部があり、内部が仕切り板で左右方向に区画された複数の納骨室を備える納骨室ユニットが複数個と、該各納骨室ユニットを縦方向において複数段に積重ね自在に収納できるフレームと、前記各納骨室ユニットの前面に、着脱自在に取付けられる納骨室と同数の扉ユニットとを備えており、前記各納骨室ユニットには、下面に実ほぞが形成され、上面に実ほぞに嵌合自在な実が形成されて、納骨室ユニットを複数段に重ねたとき上段の納骨室ユニットの下面の実ほぞが下段の納骨室ユニットの上面の実に嵌合するようになっており、前記扉ユニットは、いずれも石材製の扉枠と扉からなり、前記扉が前記扉枠に支持金具で開閉自在に取り付けられており、前記扉枠の上面には、上端縁に沿って、ほぞが形成されており、前記各納骨室ユニットの前記底板の前端部上面は、前記扉枠を置く部分であり、前記底板の前端部下面には、下段の納骨室ユニットの扉枠のほぞを嵌め込むための扉枠固定溝が形成されていることを特徴とする。
【０００６】
請求項１の発明によれば、つぎの効果を奏する。
（１）納骨室ユニットを縦方向に積み重ねていくだけで、複数段で複数列の石材製の納骨室を有する堂本体を簡単に組み立てることができる。このため、納骨室ユニットを工場等で予め製造しておき、現場で積み重ねていくだけにすれば、現場での作業時間を少なくして組み立て作業の無駄な手間を省くことができ、納骨堂を安価に建てることができる。
（２）納骨室ユニットは箱状であり、これを縦方向に一段ずつ積み重ねていくわけだから、割れにくい。しかも、納骨室ユニットを上下に積み重ねるときに、下段の納骨室ユニットの実に、上段の納骨室ユニットの実ほぞを嵌合できるから、積み重ねられた納骨室ユニットが安定する。
（３）納骨室ユニットは複数の納骨室を備えているので、所望の段数の納骨室ユニットを用いれば、任意の数の納骨室を有する納骨堂を組み立てることができる。
（４）扉ユニットは、納骨室ユニットを上下に積み重ねた状態で、上段の納骨室ユニットにおける底板の扉枠固定溝が、下側の納骨室ユニットにおける扉枠の上端縁のほぞに嵌合して固定することができるから、納骨室の前面に扉ユニットを確実に取り付けることができ、しかも着脱自在である。さらに、扉は扉枠と別体であり、支持金具で開閉を自在にできるので扱いに便利である。
【０００７】
【発明の実施の形態】
つぎに、本発明の実施形態を図面に基づき説明する。
図１は本実施形態のユニット式納骨堂１０の組み立て完成斜視図である。図２は本実施形態のユニット式納骨堂１０の階層構造図である。図１〜２に示すように、本実施形態のユニット式納骨堂１０は、複数段で複数列の納骨室Ｒを有する堂本体１１を備えた石材製の納骨堂である。
符号１２は納骨堂のフレームであり、基礎、両側壁、中壁および奥壁から構成されており、堂本体１１を収納するための枠組である。符号１３は屋根である。本実施形態のユニット式納骨堂１０を建てるときにはまず、フレーム１２を組み立ててから、フレーム１２の中に堂本体１１を組み立て、最後に屋根１３を取り付ければよい。
なお、フレーム１２および屋根１３については、特に限定はなく、ユーザーニーズや受注要件に応じて種々のものを採択すればよい。
【０００８】
さて、本発明において特に重要な堂本体１１を説明する。
この堂本体１１は、前記フレーム１２や屋根１３とは構造上独立しており、この堂本体１１にフレーム１２や屋根１３から圧力がかからないようになっている。しかも、フレーム１２および屋根１３の内側壁と堂本体１１の外側壁との間には、ウレタンゴム等の緩衝材が挿入されている。
このため、フレーム１２や屋根１３に歪みが生じても、堂本体１１に悪影響はなく、納骨室Ｒの扉がスムーズに開閉できないといった不具合は生じない。
【０００９】
図３は堂本体１１の概略斜視図である。図２〜３に示すように、堂本体１１は、複数の納骨室ユニット２１が縦方向に積み重ねられたものである。符号２２は最天板である。
なお、堂本体１１について、図では４つの納骨室ユニット２１が積み重ねられているが、積み重ねられる納骨室ユニット２１の数は任意である。
【００１０】
つぎに、納骨室ユニット２１を説明する。
図４は納骨室ユニット２１の概略斜視図である。図５は納骨室ユニット２１の縦断面図である。図６は扉ユニット５０を除いた納骨室ユニット２１の概略斜視図である。図４〜６において、符号４１〜４５は、いずれも石材製の石板である。底板４１の左右両端縁には、一対の側板４４、４４が立てて取り付けられている。底板４１の後端縁には、奥板４２が立てて取り付けられている。一対の側板４４、４４の間には、石材製の仕切り板４５，４５が立てて取り付けられており、３つの納骨室Ｒが区画されている。そして、側板４４，４４および仕切り板４５，４５の上端面には、天板４３が水平に取り付けられている。
なお、この納骨室ユニット２１は、３つの納骨室Ｒを有しているが、納骨室ユニット２１における納骨室Ｒの室数は２部屋でも４部屋以上であってもよい。
さらになお、石材製の各板４１〜４５を固定するには、隣接する各板にピン孔をそれぞれ形成し、両方のピン孔に１本のピンを差し込んで接着剤で固定すればよい。
【００１１】
前記底板４１の下面における後方には、左右方向に延びた実ほぞ41m が形成されている。他方、天板４３と奥板４２の間には隙間が形成されており、この隙間が、前記底板４１の実ほぞ41m に嵌合自在な実43m を形成している。
このため、納骨室ユニット２１の上に納骨室ユニット２１を積み重ねるときに、下側の納骨室ユニット２１の天板４３の実43m に、上側の納骨室ユニット２１の底板４１の実ほぞ41m を嵌合することができるから、納骨室ユニット２１を確実に積み重ねることができるという効果を奏する。
なお、天板４３に実ほぞを形成し、底板４１に実を形成して、この実に実ほぞを嵌合させるような構造でもよい。
【００１２】
また、前記フレーム１２のベースの上面には、実43m が形成されており、フレーム１２のベースに最下段の納骨室ユニット２１を積み重ねることができる。
【００１３】
前記天板４３および仕切り板４５は、底板４１および側板４４に比べて奥行きが短く、天板４３および仕切り板４５の前端縁が底板４１および側板４４の前端縁に比べて後方に位置するように配設されており、各納骨室Ｒの前面が後述する扉ユニット５０を配設するためのスペースとなっている。
そして、底板４１の下面には、前端縁に沿って、左右方向に延びた扉枠固定溝41h が形成されている。この扉枠固定溝41h は、納骨室ユニット２１の上に納骨室ユニット２１を積み重ねたときに、下側の納骨室ユニット２１における扉枠６０のほぞ62t を嵌合して固定するための溝である。
【００１４】
つぎに、扉ユニット５０を説明する。
図７は扉ユニット５０の正面図であって、(A)は閉扉時、(B)は開扉時の状態を示している。図８は図８(A)は図７のVIIIＡ−VIIIＡ線矢視図、図８(B)は図７のVIIIＢ−VIIIＢ線矢視図である。図７〜８に示すように、各納骨室Ｒの前面において、底板４１の上に、扉ユニット５０が天板４３および仕切り板４５の前端縁に寄せかけて配設されている。この扉ユニット５０は、扉枠６０に扉７０が上下一対の支持金具８０、８０によって、開閉自在に取付けられたものである。
【００１５】
まず、扉枠６０を説明する。
図９は扉枠６０の概略斜視図である。図１０は扉枠６０の正面図である。図１１は扉枠６０の側面図である。図１２は扉枠６０の平面図である。図９〜１２に示すように、扉枠６０は、石材を切削加工して形成したものであり、扉枠本体６１、上縁部６２および下縁部６５から構成されている。
【００１６】
扉枠本体６１は、約７〜８cmの厚さで、正面視ほぼ正方形の板状部材である。扉枠本体６１の中央部には、長方形状の窓６３が形成されている。この扉枠本体６１の上下に、上下縁部６２、６５が形成されている。各縁部６２、６５の前面は、扉７０の厚みに合わせて、前記扉枠本体６１の前面よりも前方に突出している。
前記上縁部６２には、この端縁に沿ってほぞ62t が形成されている。このほぞ62t は、前記底板４１の扉枠固定溝41h に嵌合されるものである。
【００１７】
上下縁部６２，６５間における扉枠本体６１の前面の空間が、扉７０を取り付けるための空間である。各縁部６２、６５には、その上下を貫通して貫通孔62h 、65h が形成されている。
【００１８】
前記扉枠本体６１には、貫通孔62h、65h の近傍に上下方向に沿って断面視円弧状の案内溝６４が形成されている。この案内溝６４は、断面視で前記貫通孔62h 、65h と同心の円弧状の溝であり、扉７０の開時に扉７０が扉枠６０に接触しないように形成されている。
扉枠６０に案内溝６４が形成されているから、扉７０の開時には、扉７０をスムーズに開けることができ、扉７０の閉時には扉枠６０と扉７０の側端部との間に隙間ができるのを防止することができるという効果を奏する。
【００１９】
つぎに、扉７０を説明する。
図１３は扉７０の概略斜視図である。図１４は扉７０の正面図である。図９〜１０に示すように、扉７０は、石材を切削加工して形成したものであり、約３〜４cmの厚さで、正面視ほぼ正方形の板状部材である。この扉７０の前面における左右端縁は、角が削られており、丸く形成されている。
この扉７０の上端面部および下端面部には、上下一対の断面視円形状の嵌合孔７１、７１が形成されている。この嵌合孔７１は、後述するスリーブ８１を嵌合して埋め込み、接着剤で固定させるための孔である。
符号７２は、鍵を取り付けるための鍵取付用孔である。
なお、扉枠６０および扉７０の外観形状は、平板形状のものだけでなく、外側に張り出した湾曲した形状であってもよく、種々の形状を採択しうる。
【００２０】
まず、支持金具８０を説明する。
前記扉７０の各嵌合孔７１には、スリーブ８１の基部が嵌め込まれており、接着剤で固定されている。スリーブ８１は、ステンレス製で、フランジ付きの円柱状の金具であり、上面に回転用孔が形成されている。
このスリーブ８１の回転用孔には、支持軸８２の先端部が回転自在に挿入されている。この支持軸８２の基部は、扉枠６０の貫通孔62h ，65h に挿入され、接着剤で固定されている。このため、このスリーブ８１および支持軸８２によって、扉枠６０に扉７０を開閉自在に取り付けることができるのである。
なお、支持金具８０の形状には、特に限定はなく、扉枠６０に対して扉７０をスムーズに開閉させるためのものであればよい。
【００２１】
図１５は扉ユニット５０の取付説明図である。図１５(A)に示すように、納骨室Ｒの前面において、扉ユニット５０を斜めにした状態で、扉枠６０の上側の挿入部６２を、底板４１の上側の取付用溝41h に挿入する。そして、扉ユニット５０を立てれば、納骨室Ｒの前面に扉ユニット５０を簡単に取り付けることができる。
この扉ユニット５０によれば、扉枠６０に対する扉７０の位置決めが容易であり、扉７０を扉枠６０に取り付けてから扉枠６０を納骨室Ｒに簡単に取り付けることができるので、納骨室Ｒに対する扉７０の位置決めが容易である。
【００２２】
なお、この扉ユニット５０は、扉枠６０に１枚の扉７０が開閉自在に取り付けられたものであるが、図１６の扉ユニット50B のように、扉枠60B に２枚の扉70B
、70B を観音開きになるように開閉自在に取り付けられたものであってもよく、取り付けられる扉の数には特に限定はない。
【００２３】
つぎに、本実施形態のユニット式納骨堂１０の作用効果を説明する。
本実施形態のユニット式納骨堂１０によれば、納骨室ユニット２１を縦方向に積み重ねていくだけで、複数段で複数列の石材製の納骨室Ｒを有する堂本体１１を簡単に組み立てることができる。このため、納骨室ユニット２１を工場等で予め製造しておき、現場で積み重ねていくだけにすれば、現場での作業時間を少なくして組み立て作業の無駄な手間を省くことができる。
【００２４】
また、納骨室ユニット２１は石材製の納骨室を備えているが、納骨室ユニット２１を縦方向に一段ずつ積み重ねていくわけだから、割れにくい。しかも、受注要求に応じて納骨室ユニット２１を積み重ねることによって、所望の段数の納骨室Ｒを備えた納骨堂を簡単に建てることができる。
【００２５】
さらに、納骨室ユニット２１の上に納骨室ユニット２１を積み重ねるときに、上側の納骨室ユニット２１における底板４１の扉枠固定溝41h によって、下側の納骨室ユニット２１における扉枠６０の上端縁６２のほぞ62t を嵌合して固定することができるから、納骨室Ｒの前面に扉ユニット５０を簡単に取り付けることができる。
【００２６】
上記のごとく、本実施形態のユニット式納骨堂１０によれば、石材製の納骨堂を簡単に組み立てることができ、現場での作業時間を少なくして組み立て作業の無駄な手間を省くことができ、納骨堂を安価に建てることができるという効果を奏する。
【００２７】
【発明の効果】
請求項１の発明によれば、つぎの効果を奏する。
（１）納骨室ユニットを縦方向に積み重ねていくだけで、複数段で複数列の石材製の納骨室を有する堂本体を簡単に組み立てることができる。このため、納骨室ユニットを工場等で予め製造しておき、現場で積み重ねていくだけにすれば、現場での作業時間を少なくして組み立て作業の無駄な手間を省くことができ、納骨堂を安価に建てることができる。
（２）納骨室ユニットは箱状であり、これを縦方向に一段ずつ積み重ねていくわけだから、割れにくい。しかも、納骨室ユニットを上下に積み重ねるときに、下段の納骨室ユニットの実に、上段の納骨室ユニットの実ほぞを嵌合できるから、積み重ねられた納骨室ユニットが安定する。
（３）納骨室ユニットは複数の納骨室を備えているので、所望の段数の納骨室ユニットを用いれば、任意の数の納骨室を有する納骨堂を組み立てることができる。
（４）扉ユニットは、納骨室ユニットを上下に積み重ねた状態で、上段の納骨室ユニットにおける底板の扉枠固定溝が、下側の納骨室ユニットにおける扉枠の上端縁のほぞに嵌合して固定することができるから、納骨室の前面に扉ユニットを確実に取り付けることができ、しかも着脱自在である。さらに、扉は扉枠と別体であり、支持金具で開閉を自在にできるので扱いに便利である。
【図面の簡単な説明】
【図１】本実施形態のユニット式納骨堂１０の組み立て完成斜視図である。
【図２】本実施形態のユニット式納骨堂１０の階層構造図である。
【図３】堂本体１１の概略斜視図である。
【図４】納骨室ユニット２１の概略斜視図である。
【図５】納骨室ユニット２１の縦断面図である。
【図６】扉ユニット５０を除いた納骨室ユニット２１の概略斜視図である。
【図７】扉ユニット５０の正面図であって、(A)は閉扉時、(B)は開扉時の状態を示している。
【図８】図８(A)は図７のVIIIＡ−VIIIＡ線矢視図、図８(B)は図７のVIIIＢ−VIIIＢ線矢視図である。
【図９】扉枠６０の概略斜視図である。
【図１０】扉枠６０の正面図である。
【図１１】扉枠６０の側面図である。
【図１２】扉枠６０の平面図である。
【図１３】扉７０の概略斜視図である。
【図１４】扉７０の正面図である。
【図１５】扉ユニット５０の取付説明図である。
【図１６】他の扉ユニット50B の概略斜視図である
【符号の説明】
１０      ユニット式納骨堂
１１      堂本体
２１      納骨室ユニット
４１      底板
41m       実ほぞ
41h       扉枠固定溝
４３      天板
43m       実
５０      扉ユニット
６０      扉枠
62t       ほぞ
７０      扉
８０      支持金具
Ｒ        納骨室
【図１】
0003630651.tif 000002
【図２】
0003630651.tif 000003
【図３】
0003630651.tif 000004
【図７】
0003630651.tif 000005
【図８】
0003630651.tif 000006
【図９】
0003630651.tif 000007
【図１０】
0003630651.tif 000008
【図１１】
0003630651.tif 000009
【図１２】
0003630651.tif 000010
【図１３】
0003630651.tif 000011
【図１４】
0003630651.tif 000012
【図１５】
0003630651.tif 000013
【図１６】
0003630651.tif 000014
【図４】
0003630651.tif 000015
【図５】
0003630651.tif 000016
【図６】
0003630651.tif 000017